(57)【特許請求の範囲】
【請求項１】
受信電界強度を検出する電界強度検出回路と、ＩＦ信号をＦＭ検波するＦＭ検波回路と、弱電界のとき前記受信電界強度の低下に応じてミュート信号を発生するミュート信号発生回路と、前記ミュート信号に応じて前記ＦＭ検波回路の出力検波信号をミュートするソフトミュート回路とを備えるＲＤＳラジオ受信機において、
ＡＦサーチまたはシークサーチの際、制御信号を発生する制御回路と、
前記制御信号に応じて、前記ソフトミュート回路のミュート動作を強制的に禁止する禁止回路と、
を備えたことを特徴とするＲＤＳラジオ受信機。
【請求項２】
前記禁止回路は、
前記ソフトミュート回路のミュート信号用の入力端子を、前記制御信号に応じて接地するスイッチング手段から成ることを特徴とする請求項１記載のＲＤＳラジオ受信機。
【請求項３】
ＡＦサーチまたはシークサーチの際、前記ミュート信号を保持する保持回路を備えることを特徴とする請求項１記載のＲＤＳラジオ受信機。
【発明の詳細な説明】
【０００１】
【発明の属する技術分野】
本発明は、ＡＦサーチ及びシークサーチの機能を有するＲＤＳラジオ受信機に関する。
【０００２】
【従来の技術】
ＦＭ放送において、ＲＤＳ信号をＦＭステレオコンポジット信号に多重して放送するＲＤＳ放送があり、従来より、このＲＤＳ信号をデコードするＲＤＳデコーダを含むＲＤＳラジオ受信機が知られている。図２は、このようなＲＤＳラジオ受信機のうち、弱電界時受信電界強度の低下に応じて出力検波信号をミュートするシステムを組んだＲＤＳラジオ受信機を示している。
【０００３】
図２において、受信ＲＦ信号はアンテナで受信され、フロントエンド１でＩＦ信号に変換される。ＩＦ信号はＩＦ増幅回路２で増幅された後、ＦＭ検波回路３で検波される。ＦＭ検波の結果、ＦＭ検波回路３の出力検波信号は、ステレオコンポジット信号とＲＤＳ信号とを含む。ＦＭ検波回路３の出力検波信号は、ソフトミュート回路４を介して、ステレオデコーダ５及びＲＤＳデコーダ６に印加される。ステレオデコーダ５は、ステレオコンポジット信号のステレオデコードを行い、左ステレオ信号及び右ステレオ信号を発生する。また、ＲＤＳデコーダ６は、ＲＤＳ信号のデコードを行い、ＲＤＳデータを発生する。ＲＤＳデータは、マイコン７に伝送され、ＲＤＳ情報の検出や表示のために用いられる。
【０００４】
また、ＩＦ増幅回路２の出力信号は、レベル検波回路８でレベル検波される。弱電界時、ＩＦ信号のレベルが低下し、それに伴って、レベル検波回路８の出力信号ａのレベルも低下する。出力信号ａは図３（イ）の実線のように弱電界において受信電界強度の低下に応じてレベルが低下する信号である。そして、レベル検波回路８の出力信号ａが低下すると、その低下に応じてミュート信号ｂがミュート信号発生回路９から発生する。ミュート信号ｂのレベルは、図３（イ）の点線のように、受信電界強度の低下に応じて連続的に高くなる。ミュート信号ｂはソフトミュート回路４に印加され、ソフトミュート回路４のミュート量はミュート信号ｂのレベルが高くなるに従って連続的に大きくなる。
【０００５】
これにより、弱電界時、受信電界強度が低下すると、ミュート信号ｂによってソフトミュート回路４が動作し、ＦＭ検波回路３の出力検波信号のレベルを減衰させる。その為、弱電界時、図３（ロ）の実線及び点線のように、ステレオデコーダ５からの左ステレオ信号及び右ステレオ信号のレベルと、それに含まれるノイズのレベルとは、ＦＭ検波信号を全く減衰させなかったとき（図３（ロ）一点鎖線）より、低下する。
【０００６】
【発明が解決しようとする課題】
ところで、図２の回路において、ミュート信号発生回路９は大きな時定数を有しているので、弱電界時に受信電界強度の平均値が低下すると、ソフトミュート回路４のミュート量が低下するようになっている。これにより、弱電界時、受信電界強度の速い変化にミュート信号ｂのレベルは追従せず、左及び右ステレオ信号のレベルが変動しないようになっている。
【０００７】
一方、ＲＤＳ受信機にはＡＦサーチと呼ばれる機能がある。ＡＦサーチは、現在の放送局と同一番組を放送している放送局を探し、探し当てた放送局が現在の放送局の受信電界強度より大きければ、探し当てた放送局に移るというものである。尚、同一番組を放送しているか否かはＲＤＳデコーダ６からのＲＤＳデータにより判断される。
【０００８】
ＡＦサーチにおいて、受信電界強度の弱い現在の放送局から、電界強度の強い他の放送局へ移動した場合を考える。現在の放送局を受信しているとき、弱電界のため、レベル検波回路８の出力信号ａは低く、ミュート信号ｂが発生している。他の放送局へ移り、レベル検波回路８の出力信号ａのレベルが上昇しても、ミュート信号発生回路９の大きな時定数により、ミュート信号ｂのレベルはすぐには低下しない。その為、他の放送局へ移っても、ソフトミュート回路４のミュート動作はすぐに解除されず、ＲＤＳ信号はすぐに上昇しない。ここで、ＲＤＳ信号がその最大レベルより６ｄＢ以上低下すると、ＲＤＳデコーダ６はデコードを行うことができなくなる。その為、ＲＤＳ信号のレベルがデコード可能なレベルまで上昇し、ＲＤＳデータで同一番組か否かを判断できるまで時間がかかるという問題があった。従って、ＡＦサーチの際、短時間内でＡＦサーチを正確に行わせることが困難であった。また、ＲＤＳ信号の立ち上がりに合わせてＡＦサーチの時間を設定すると、ＡＦサーチにより他放送局に移動している期間が長くなるので、現在の放送局の聴取が長く途切れ、聴感上の違和感が発生するという問題が新たに発生する。
【０００９】
また、ＲＤＳラジオ受信機には、ＲＤＳデータを利用して、音楽番組、トーク番組または交通情報のみが存在する番組またはＲＤＳの存在する番組だけを選局するシークサーチというモードがある。このようなシークサーチでは、順次受信放送局を変え、放送局の受信毎に、その受信電界強度とＲＤＳ情報とを検出し、所定強度以上の電界強度と所定のＲＤＳ情報とを見つけた場合にこの放送局を受信させる。しかし、電界強度の弱い放送局から電界強度の強い放送局に変更すると、ミュート信号信号発生回路９の大きな時定数により、ソフトミュート回路４の出力信号レベルがすぐに立ち上がらないので、ＡＦサーチと同様にＲＤＳ情報の検出まで時間がかかるという問題があった。
【００１０】
【課題を解決するための手段】
本発明は、受信電界強度を検出する電界強度検出回路と、ＩＦ信号をＦＭ検波するＦＭ検波回路と、弱電界のとき前記受信電界強度の低下に応じてミュート信号を発生するミュート信号発生回路と、前記ミュート信号に応じて前記ＦＭ検波回路の出力検波信号をミュートするソフトミュート回路とを備えるＲＤＳラジオ受信機において、ＡＦサーチまたはシークサーチの際、制御信号を発生する制御回路と、前記制御信号に応じて、前記ソフトミュート回路のミュート動作を強制的に禁止する禁止回路と、を備えたことを特徴とする。
【００１１】
また、前記禁止回路は、前記ソフトミュート回路のミュート信号用の入力端子を、前記制御信号に応じて接地するスイッチング手段から成ることを特徴とする。
さらに、ＡＦサーチまたはシークサーチの際、前記ミュート信号を保持する保持回路を備えることを特徴とする。
【００１２】
本発明によれば、ＡＦサーチまたはシークサーチの際、制御信号により禁止回路が動作するので、ソフトミュート回路のミュート動作が強制的に禁止される。その為、ソフトミュート回路がミュート動作を行っている場合、ミュート動作が素早く解除され、ＦＭ検波回路の出力検波信号のレベルを素早く復帰させることができる。
【００１３】
【発明の実施の形態】
図１は本発明の実施の形態を示す図であり、１１は、電界強度検出回路となるレベル検波回路８の出力信号を反転する反転回路１２と、反転回路１２の出力信号を平滑する抵抗１３及びコンデンサー１４と、コンデンサー１４の放電時定数を定め、ミュート信号を保持する保持回路の一部を成す抵抗１５とから成るミュート信号発生回路、１６は、マイコン７からの制御信号ｃに応じてスイッチングするスイッチング手段を成すトランジスタである。尚、図１において、図２の従来例と同一の回路については、図２と同一の符号を付す。また、コンデンサー１４は、ミュート信号発生回路１１のコンデンサーと、上記保持回路のコンデンサーとを兼用している。
【００１４】
図１において、ＡＦサーチの動作を説明する。まず、現在の放送局を受信している場合、各々の回路は次のような状態になっている。現在受信している放送局の受信電界強度は弱いので、レベル検波回路８の出力信号ａのレベルは低くなっている。レベル検波回路８の出力信号ａは反転回路１２で反転された後、反転回路１２の反転信号は抵抗１３及びコンデンサー１４によって平滑される。平滑によって、ミュート信号ｂがミュート信号発生回路１１から発生する。また、マイコン７からの制御信号ｃは「Ｌ」レベルになっているので、トランジスタ１６はオフになっている。その為、ミュート信号ｂは抵抗１５を介してソフトミュート回路４に印加され、ソフトミュート回路４はＦＭ検波回路３の出力信号をミュートしている。ここで、抵抗１３及びコンデンサー１４の時定数は大きく設定されており、受信電界強度の速い変化にソフトミュート回路４のミュート量が変化しないようになっている。
【００１５】
ＲＤＳラジオ受信機がＡＦサーチ状態にあると、所定時間毎に現在の放送局から他の放送局に移動させて、電界強度とＲＤＳデータとを検出している。そこで、マイコン７はフロントエンド１を制御し、ＲＤＳラジオ受信機に現在の放送局と異なる他の放送局を受信させる。他の放送局の電界強度が現在の放送局より強いと、レベル検波回路８の出力信号ａのレベルは素早く高くなり、反転回路１２の出力信号レベルはすぐに低くなる。しかし、抵抗１３及びコンデンサー１４の時定数は大きいので、ミュート信号ｂのレベルは素早く低くならない。
【００１６】
一方、ＲＤＳ受信機の受信局が他の放送局に移動している間、マイコン７はトランジスタ１６のベースに「Ｈ」レベルの制御信号ｃを発生し、トランジスタ１６はオンする。その為、ミュート信号ｂが印加される入力端子は接地される。ソフトミュート回路４のミュート量はミュート信号ｂのレベルが高くなるに従って連続的に大きくなるので、上記の入力端子が接地されることにより、ソフトミュート回路４のミュート動作が禁止される。よって、ＦＭ検波回路３の出力検波信号は、ソフトミュート回路４で全く減衰されず、そのままのレベルでソフトミュート回路４を通過する。このようにソフトミュート回路４のミュート動作が強制的に禁止されるので、出力検波信号中のＲＤＳ信号のレベルは素早くＲＤＳデコーダ６のデコード可能なレベルになる。受信局が他の放送局に移ると同時に、すぐにＲＤＳデコーダ６はＲＤＳ信号をデコードすることができる。
【００１７】
次に、ＲＤＳデコーダ６からのＲＤＳデータにより、マイコン７において、他の放送局と現在の放送局とのＡＦコードが一致するか否か、が検出される。ＡＦコードが一致すると、さらに、現在の放送局と他の放送局との電界強度が比較される。尚、現在の放送局の電界強度はＡＦサーチで他の放送局に移動する直前にマイコン７に内蔵されるメモリー（図示せず）に記憶されている。他の放送局の電界強度が強いと、マイコン７はフロントエンド１を制御せず、ＲＤＳラジオ受信機に他の放送局をそのまま受信させるとともに、マイコン７は「Ｈ」レベルの制御信号ｃの発生を停止し、トランジスタ１６をオフさせる。これにより、ミュート信号ｂが再びソフトミュート回路４に印加され、他の放送局の電界強度に応じてソフトミュート回路４のミュート量が制御される。
【００１８】
逆に、現在の放送局の電界強度が強いと、マイコン７がフロントエンド１を制御し、受信局を現在の放送局に戻するとともに、マイコン７はトランジスタ１６をオフさせる。これにより、現在の放送局の電界強度に応じて、ソフトミュート回路４のミュート動作が再び動作する。
また、ＡＦコードの検出の際、ＡＦコードが一致していないと、マイコン７はフロントエンド１を制御し、受信局を現在の放送局に戻す。また、マイコン７からの制御信号ｃが「Ｌ」レベルになるので、トランジスタ１６はオフする。その為、ミュート信号ｂが抵抗１５を介して再びソフトミュート回路４に印加される。現在の放送局の電界強度に応じて、ソフトミュート回路４のソフトミュートが制御される。
【００１９】
ところで、コンデンサー１４及び抵抗１５により、抵抗１５側から見た放電時定数が大きく設定されているので、受信局が他の放送局に移っている間コンデンサー１４の電荷はトランジスタ１６を介して放電されにくくなり、ミュート信号ｂはコンデンサー１４及び抵抗１５により保持される。その為、受信局が現在の放送局に戻っても、ミュート信号ｂは受信局が他の局に移る前のミュート信号ｂの状態を保っている。よって、受信局が他の放送局に移る前後では、ソフトミュート回路４のミュート量は変化しない。
【００２０】
また、ＡＦサーチに限らず、他のモードでも上記と同様の効果を奏する。例えば、ＲＤＳラジオ受信機には、ＲＤＳデータを利用して、音楽番組、トーク番組または交通情報のみが存在する番組またはＲＤＳの存在する番組だけを選局するシークサーチというモードがある。このようなシークサーチでは、順次受信放送局を変え、放送局の受信毎に、その受信電界強度とＲＤＳ情報とを検出し、所定強度以上の電界強度と所定のＲＤＳ情報とを見つけた場合にこの放送局を受信させる。
【００２１】
図１において、ＲＤＳラジオ受信機のフロント部（図示せず）を操作することにより、ＲＤＳラジオ受信機はシークサーチモードになる。すると、マイコン７は、「Ｈ」レベルの制御信号ｃを発生し、トランジスタ１６はオンする。その為、ソフトミュート回路４のミュート動作は強制的に禁止される。シークサーチ中ソフトミュート回路４のミュート動作は強制的にオフされるので、ＦＭ検波回路３からのＲＤＳ信号はソフトミュート回路４で減衰されずにＲＤＳデコーダ６にそのまま印加される。その為、シークサーチにより放送局が順次変更されても、ＲＤＳ信号のレベルは常にＲＤＳデコーダ６でのデコード可能なレベルになっている。従って、シークサーチによって、受信放送局が移っても、素早くＲＤＳ信号をデコードでき、ＲＤＳ情報を得ることができる。
【００２２】
【発明の効果】
本発明によれば、ＡＦサーチまたはシークサーチの際、制御信号により禁止回路が動作し、ソフトミュート回路のミュート動作が強制的に禁止されるので、ＦＭ検波回路の出力検波信号のレベルを素早く復帰させ、ＦＭ検波出力信号のレベルをそのまま後段の回路に伝送させることができる。その為、後段の回路で出力検波信号を素早く処理させることができ、短時間でＡＦサーチ及びシークサーチを正確に行わせることができる。
【００２３】
また、ソフトミュート回路のミュート動作が禁止されている間、ミュート信号を保持するので、ミュート動作禁止の解除後、ソフトミュート回路はミュート動作禁止前の状態に戻ることができ、他の放送局の移動の前後でミュート状態が変わらず、聴感上の違和感を防ぐことができる。
【図面の簡単な説明】
【図１】本発明の実施の形態を示すブロック図である。
【図２】従来例を示すブロック図である。
【図３】本発明の説明するため各々の回路の出力信号を示す特性図である。
【符号の説明】
３              ＦＭ検波回路
４              ソフトミュート回路
６              ＲＤＳデコーダ
７              マイコン
８              レベル検波回路
１０              ミュート信号発生回路
１１              反転回路
１２、１４        抵抗
１３              コンデンサー
１５              トランジスタ
【図１】
0003568336.tif 000002
【図２】
0003568336.tif 000003
【図３】
0003568336.tif 000004